(57)【特許請求の範囲】
【請求項１】
肉厚断面で所定長さ寸法に設定されると共に、その全体、もしくは全体を上側部と下端部とに分割形成して連結するようにしたものの上側部、あるいは全体を上端部、中途部、ならびに下端部とに分割形成して連結するようにしたものの上下端部を除く中途部の何れか部分を、楽器に使用される天然木材、あるいは集成木材から形成してなるものとした復数枚の響板部が、床面に対して略水平状に設置可能であって、所定の大きさ、形状としてなるベース盤に対し、所定の平面配置となるようにして垂設、一体化され、夫々の上端側を自由端構造となるように形成すると共に、それら自由端面をエンクロージャー載置面となるように形成してなるものとしたことを特徴とするスピーカースタンド。
【請求項２】
肉厚断面で所定長さ寸法に設定されると共に、その全体、もしくは全体を上側部と下端部とに分割形成して連結するようにしたものの上側部、あるいは全体を上端部、中途部、ならびに下端部とに分割形成して連結するようにしたものの上下端部を除く中途部の何れか部分を、楽器に使用される天然木材、あるいは集成木材から形成してなるものとした響板部を、床面に対して略水平状に設置可能であって、所定の大きさ、形状とした制振構造を有するベース盤に対し、その上面の中央付近を挟んで離反する少なくとも二箇所に所定の平面配置となるようにして垂設、一体化した上、それらの上端の自由端面がエンクロージャーの底面を直接接触、支持するエンクロージャー載置面となるよう形成してなるものとしたことを特徴とするスピーカースタンド。
【請求項３】
肉厚断面で所定長さ寸法に設定されると共に、その全体、もしくは全体を上側部と下端部とに分割形成して連結するようにしたものの上側部、あるいは全体を上端部、中途部、ならびに下端部とに分割形成して連結するようにしたものの上下端部を除く中途部の何れか部分を、楽器に使用される天然木材、あるいは集成木材から形成してなるものとした響板部を、床面に対して略水平状に設置可能であって、所定の大きさ、形状とし、制振構造を有するベース盤に対し、その上面の中央付近を挟んで離反する二ないし四箇所に所定の平面配置となるようにして垂設、一体化した上、それらの上端の自由端面がエンクロージャーの底面を直接接触、支持するエンクロージャー載置面となるよう形成してなるものとしたことを特徴とするスピーカースタンド。
【請求項４】
少なくとも二個の響板部を載置するエンクロージャーの音声発生方向前方の左右に配置して対峙させ、同響面板部同士を、載置するエンクロージャーの音声発生方向の前方に向けて拡開状に傾斜させた平面配置具合とすると共に、載置するエンクロージャーの音声発生方向の後方左右に、外の少なくとも二個の響板部を配置して対峙させ、同響板部同士を、載置するエンクロージャーの音声発生方向の後方に向けて拡開状に傾斜させた平面配置具合としたものとするか、または、少なくとも二個の響板部を左右に配置して対峙させ、同響面板部同士を、載置するエンクロージャーの音声発生方向の前方に向けて拡開状に傾斜させた平面配置具合とするか、もしくは、少なくとも二個の響板部を左右に配置して対峙させ、同響板部同士を、載置するエンクロージャーの音声発生方向の後方に向けて拡開状に傾斜させた平面配置具合としてなる、請求項１ないし３何れか一記載のスピーカースタンド。
【請求項５】
エンクロージャーの音声発生方向に対して最も後側に位置する響板部を、エンクロージャーの音声発生方向に対して略垂直状に配置してなる、請求項３ないし６何れか記載のスピーカースタンド。
【請求項６】
何れか一個の響板部をエンクロージャーの音声発生方向に対して平行状に配置してなる、請求項３ないし６何れか記載のスピーカースタンド。
【請求項７】
全ての響板部が、ベース盤に対して分解組み立て可能な組立て構造を有すると共に、当該組立て構造には、各響板部の載置されるエンクロージャーの音声発生方向に対する取付け角度を適宜変更可能とする取付け角度調節機構を併設してなる、請求項１ないし３何れか一記載のスピーカースタンド。
【請求項８】
請求項１ないし７何れか一記載のスピーカースタンドにおける響板部を、ベース盤上面の少なくとも二箇所に所定の平面配置となるようにして垂設、一体化した上、それらの上端の自由端面上にエンクロージャーの底面を直接接触、支持させ、エンクロージャーからの振動を直接的に各響板部に伝播され易くすると共に、伝播した振動による各響板部の響鳴が、夫々の自由端構造によって励起されるようにする一方、各響板部に伝播した振動およびエンクロージャーから各響板部周辺の空間に発せられた振動の方向を、予め設定してある各響板部の平面配置具合によって所望する最適な方向に誘導し得るようにしたことを特徴とするスピーカー音の音響効果改善方法。
【請求項９】
請求項１ないし７何れか一記載のスピーカースタンドにおける響板部を、床面に対する制振構造を備えたベース盤上面の中央付近を挟んで離反する少なくとも二箇所に所定の平面配置となるようにして垂設、一体化した上、それらの上端の自由端面上にエンクロージャーの底面を直接接触、支持させ、エンクロージャーからの振動を直接的に各響板部全体に伝播され易くすると共に、伝播した振動による各響板部の響鳴が、夫々の自由端構造によって励起されるようにする一方、各響板部に伝播した振動およびエンクロージャーから各響板部周辺の空間に発せられた振動の方向を、予め設定してある各響板部の平面配置具合によって所望する最適な方向に誘導し得るようにしたことを特徴とするスピーカー音の音響効果改善方法。
【発明の詳細な説明】
【０００１】
【発明の目的】
この発明は、スピーカーを内蔵するエンクロージャーを、最適な高さ位置に安定して支持するスピーカースタンドに関するものであって、特に、エンクロージャーが発生する振動を好適に支配し、スピーカースタンド自らも良好な音声の再生を担う、新規なスピーカー音の音響効果改善方法、およびそれに使用する新規な構造からなるスピーカースタンドを提供しようとするものである。
【０００２】
【従来の技術】
近年におけるオーディオ機器は、ノイズリダクションシステムやコンパクトディスク等のステレオ再生技術の相次ぐ開発により、良質な音を比較的簡単に再生することができるようになり、更に６チャンネルを駆使し、聴者を取り巻く複数のエンクロージャーによって映画館のような、あるいはそれ以上の臨場感を再生するシステムが家庭向けに販売される等、多彩な楽しみ方が提供できるようになってきている。
【０００３】
このようなオーディオ機器のセッティングは、それを設置する部屋の形状や構造等の影響を受け易く、特に畳敷きの部屋を有する我が国の住宅事情も相俟って、なかなか良質な音を再生することができず、設計者の本来意図する音を正確に再生するには、スピーカーを内蔵してスピーカーシステムを構成する筐体状のエンクロージャーが発生する振動を、床面との間で効果的に防振する工夫が必要となり、さらに、チューナー、プレーヤーおよびアンプ等の機器も含めて、堅牢な家具やスピーカースタンドの上に設置し、一切の外部振動や内部からの振動を制振することが望ましいものとされてきた。
【０００４】
このように、振動に大きな影響を受けるエンクロージャーを安定して支持するものとして、実開平３−１０３６８６号公報に示されるような、エンクロージャーを載置する載置台をサンドイッチ状に形成し、その中央部に制振鋼板を挟み込むことにより、エンクロージャーが発生する振動を制振するスピーカースタンドが考案されているが、エンクロージャーからの音声が載置台面に反射してしまい、音質を変えてしまうという欠点を解消できるものではなかった。また、実開平６−２３３９４号公報に示されるエンクロージャーのように、スピーカースタンドとの接触面積を極めて小さく設定し、エンクロージャーとスピーカースタンドとの間で振動が容易に伝播しないように構成したものも開発されている。
【０００５】
この発明は、上記のように、振動の伝播を抑制することが最も良好な音の再生に繋がるとされてきたスピーカースタンドにあって、如何なる条件下にあっても載置台やエンクロージャーとの接触面から振動が伝播され、僅かではあってもノイズを発生してしまうことが避けられないという事情に疑問を抱き、エンクロージャーが発生する振動を活かし、良質な音響の再生に貢献させることはできないものかとの判断から、逸速くその開発、研究に着手し、長期に渡る試行錯誤と幾多の試作、実験とを繰り返してきた結果、今回、遂に新規なスピーカー音の音響効果改善方法、およびそれに使用する新規な構造からなるスピーカースタンドを実現化することに成功したものであり、以下では、図面に示すこの発明を代表する実施例と共に、その構成を詳述することとする。
【０００６】
【発明の構成】
図面に示すこの発明を代表する実施例からも明確に理解されるように、この発明に包含されるスピーカー音の音響効果改善方法は、基本的に次のような構成から成り立っている。
即ち、ベース盤上面の少なくとも二箇所に、肉厚断面で所定長さ寸法に設定した響板部を所定の平面配置となるようにして垂設、一体化した上、それらの上端の自由端面上にエンクロージャーの底面を直接接触、支持させ、エンクロージャーからの振動を直接的に各響板部に伝播され易くすると共に、伝播した振動による各響板部の響鳴が、夫々の自由端構造によって励起されるようにする一方、各響板部に伝播した振動およびエンクロージャーから各響板部周辺の空間に発せられた振動の方向を、予め設定してある各響板部の平面配置具合によって所望する最適な方向に誘導し得るようにしたスピーカー音の音響効果改善方法ある。
【０００７】
この基本的な構成をより具体的なものとして示すと、この発明のスピーカー音の音響効果改善方法は、床面に対する制振構造を備えたベース盤上面の中央付近を挟んで離反する少なくとも二箇所に、肉厚断面で所定長さ寸法に設定した響板部を所定の平面配置となるようにして垂設、一体化した上、それらの上端の自由端面上にエンクロージャーの底面を直接接触、支持させ、エンクロージャーからの振動を直接的に各響板部全体に伝播され易くすると共に、伝播した振動による各響板部の響鳴が、夫々の自由端構造によって励起されるようにする一方、各響板部に伝播した振動およびエンクロージャーから各響板部周辺の空間に発せられた振動の方向を、予め設定してある各響板部の平面配置具合によって所望する最適な方向に誘導し得るようにした構成を要旨とするものということができる。
【０００８】
【関連する発明】
上記したスピーカー音の音響効果改善方法に関連して、この発明にはそのスピーカー音の音響効果改善方法に使用するスピーカースタンドも包含しており、その構成の要旨は、基本的に次のとおりのものである。
即ち、床面に対して略水平状に設置可能であって、所定の大きさ、形状としてなるベース盤に対し、肉厚断面で所定長さ寸法に設定した復数枚の響板部が、所定の平面配置となるようにして垂設、一体化され、夫々の上端側を自由端構造となるように形成すると共に、それら自由端面をエンクロージャー載置面となるように形成してなる如く構成したスピーカースタンドである。
【０００９】
この発明に包含される上記のとおりの基本的な構成からなるスピーカースタンドを、より具体的なものとして示せば、床面に対して略水平状に設置可能であって、所定の大きさ、形状とした制振構造を有するベース盤に対し、その上面の中央付近を挟んで離反する少なくとも二箇所に、肉厚断面で所定長さ寸法に設定した響板部を所定の平面配置となるようにして垂設、一体化した上、それらの上端の自由端面がエンクロージャーの底面を直接接触、支持するエンクロージャー載置面となるよう形成してなる構成を要旨とするスピーカスタンドとすることができる。
【００１０】
更に具体的な構成で示すと、床面に対して略水平状に設置可能であって、所定の大きさ、形状とし、制振構造を有するベース盤に対し、その上面の中央付近を挟んで離反する二ないし四箇所に、肉厚断面で所定長さ寸法に設定した響板部を所定の平面配置となるようにして垂設、一体化した上、それらの上端の自由端面がエンクロージャーの底面を直接接触、支持するエンクロージャー載置面となるよう形成してなる構成を要旨とするスピーカスタンドである。
【００１１】
さらにまた、この発明に包含されるスピーカースタンドは、ベース盤部に複数が夫々独立して設けられた響板部の中の、少なくとも二個を、載置するエンクロージャーの音声発生方向前方の左右に配置して対峙させ、同響面板部同士を、載置するエンクロージャーの音声発生方向の前方に向けて拡開状に傾斜させた平面配置具合とすると共に、載置するエンクロージャーの音声発生方向の後方に、外の少なくとも二個の響板部を左右に配置して対峙させ、同響板部同士を、載置するエンクロージャーの音声発生方向の後方に向けて拡開状に傾斜させた平面配置具合としたり、または、少なくとも二個の響板部を左右に配置して対峙させ、同響面板部同士を、載置するエンクロージャーの音声発生方向の前方に向けて拡開状に傾斜させた平面配置具合、もしくは、少なくとも二個の響板部を左右に配置して対峙させ、同響板部同士を、載置するエンクロージャーの音声発生方向の後方に向けて拡開状に傾斜させた平面配置具合としてなるものとすることも可能となる外、エンクロージャーの音声発生方向に対して最も後側に位置する響板部を、エンクロージャーの音声発生方向に対して略垂直状に配置するようにしたり、何れか一個の響板部をエンクロージャーの音声発生方向に対して平行状に配置するようにしたものとすることも可能である。
【００１２】
ベース盤は、複数の響板部を充分な強度で床面上に支持し、同響板部上に載置されるエンクロージャーを安定して設置可能とする機能を果たすものであり、エンクロージャーから発せられる振動に響鳴し易い形状、寸法および素材を選択するか、あるいは、エンクロージャーからの振動を効果的に減衰できるよう構成するかの何れかの構造を選択すべきであって、容易に響鳴するよう構成する場合には、楽器にも使用されるウォールナット、メープル、マホガニー、ラバーウッド、スプールス、黒檀、松材等の天然ムク材、あるいはそれらの集成材から形成するとよく、制振構造を設ける場合には、振動を吸収可能な重量に設定することが肝要であり、振動の減衰機能を有する素材から形成し、または振動を減衰する素材を充填したものとするか、あるいは振動を減衰する機能を有する減衰部品を用いることが望ましく、例えば、人工大理石やセラミック等から形成するか、銅、真鍮、鉛、鉄等の金属粉を封入した筐体として形成する外、ベース盤の上下面あるいは中間層部分に防振用ゴム、ハイカーボン鋳鉄、制振鋼板等の制振材部を挟み込むものとしたり、ピンポイントスパイクタイプ、あるいは鋼球、木球、ガラス球等のインシュレーターを床面との間に挟み込む構造を備えたものとしてもよく、また、下部に高比重の人工大理石やセラミックからなる下部台座部を一体的に結合したものとして形成することもできる。
【００１３】
響板部は、上端に載置されたエンクロージャーの発する振動に響鳴し、その周辺空間に発せられた音を、所望する方向に誘導する機能を果たすものであって、下側基端をベース盤に一体化し、上端をエンクロージャーを直接的に載置可能な自由端面とする必要があり、載置するエンクロージャーを充分な強度を有して安定に支持可能な構造としなければならず、可聴周波数帯域である８０ヘルツ〜１万５千ヘルツ、望ましくはオーディオ機器が再生する５ヘルツ〜２万ヘルツ程度の範囲で共振しない固有振動数に設定された寸法、形状および材質を選択するとよく、例えばウォールナット、メープル、マホガニー、ラバーウッド、スプールス、黒檀、松材等の楽器にも使用される良質な響きを発生し得る天然ムク材、あるいはそれらの集成材から形成するのが望ましい。
【００１４】
響板部は、各部を分割して六角穴付きボルトおよびナット、タッピングネジ、木ネジ等を用いた連結構造を設けて分解、組み立て可能なものとすることも可能であり、また、分解状態で販売し、購入者が釘や接着剤等を用いて組み立てることができる構成としてもよく、例えば、上側部とベース盤に一体となる下端部とに分割し、当該上側部と下端部とを連結する部分に、上側部のエンクロージャーの音声発生方向に対する角度を変更可能とする角度調節機構を設けたものとすることが可能な外、エンクロージャー載置面を形成する上端部と、中途部、ならびにベース盤に連結する下端部とに分割して形成し、中途部を上端部および下端部に連結する各部分に、中途部のエンクロージャーの音声発生方向に対する角度を変更可能とする角度調節機構を設けたものとすることもできる。
【００１５】
響板部の形状は、製造効率やシンプルな外観を得る等の理由から矩形平断面の平板状とするのが望ましく、例えば、Ｌ字形やＵ字形の平断面に形成し、発生する音響の指向性を高める構造としたり、複雑な縦断面形状を用いた斬新なデザインを採用したものとすることも可能である。更に、全ての響板部が、ベース盤に対して分解組み立て可能な組立て構造を有すると共に、当該組立て構造には、各響板部の載置されるエンクロージャーの音声発生方向に対する取付け角度を適宜変更可能とする取付け角度調節機構を併設してなるものとすることもでき、また、ベース盤上に独立するか、あるいは隣接する響板部の下側間に掛け渡す等して、下側に向けて前傾する反射板を設け、エンクロージャーから発せられた音声や周辺の音響を、載置するエンクロージャーの音声発生方向に向けて反射できるよう構成したものとすることもできる。
【００１６】
響板部の上端に形成されたエンクロージャー載置面は、エンクロージャーを安定して支持すると共に、エンクロージャーの振動を響板部側へ伝播する機能を果たすものであって、エンクロージャーの底面を略水平状に支持するよう構成すべきであるが、必要に応じて所定角度に傾斜したエンクロージャーを支持可能に構成することも可能であり、エンクロージャーの脱落を防止する鉤爪状の段差形状部を形成することもできる。また、響板部の上端面を所望する音場感の発生に好適な高さ、例えば、載置されたエンクロージャーのスピーカーが、聴者の耳の高さに略一致するよう配置される高さ、または聴者の耳よりも高い、あるいは低い位置に設定するとよく、エンクロージャー載置面の摩擦係数を大きくしたり、エンクロージャーとの接触面積を広めに設定して、エンクロージャーからの振動を効率的に伝播できるよう構成することも可能である外、エンクロージャー載置面の摩擦係数を小さくしたり、エンクロージャーとの接触面積を狭めて、過大な振動を伝播しないよう好適に制限する構成とすることも可能である。
【００１７】
この発明に包含されるスピーカースタンドは、サイズ、響板部の組合せ等を変更し、色々な形状、寸法に形成し、各種エンクロージャーの構造や特性に対応可能であり、また利用の対象は、エンクロージャーのみに留まらず、そのままの構造、あるいは更に制振構造を強化する等して、各種プレーヤー、チューナー、アンプ等、その他のオーディオ機器も同一の、またはデザインを統一して製作したスピーカースタンド上に載置、セッティングすることが可能である。
以下では、図面に示すこの発明を代表する実施例と共に、その構造について詳述することとする。
【００１８】
【実施例１】
図１のスピーカースタンドの斜視図、および図２のスピーカースタンドの平面図に示される事例は、ベーズ盤２上に夫々独立して立設され、前側に二個、後側に一個を垂設された合計三個の響板部３，３，３の中、前側左右に配置された二個の響板部３，３を、載置されるエンクロージャーの音声発生方向Ｓに向けて拡開状の平面配置とし、後側の一個の響板部３を同エンクロージャーの音声発生方向Ｓに平行となる平面配置に設定し、三個の独立した響板部３，３，３の自由端上に、一個のエンクロージャー４を掛渡し状に載置するよう形成した構成からなるスピーカー音の音響効果改善方法に使用するスピーカースタンドにおけるこの発明の代表的な一実施例を示すものである。
【００１９】
当該スピーカースタンド１は、ベース盤２および響板部３，３，３の全てを楽器にも使用されるスプールス、メープル、松材等の響きのきれいな天然ムク材から形成し、制振構造としては、ベース盤２の底面に後付けもしくは、床面上に設置する際に、底面と床面との間にインシュレーターや制振用シート等の制振材部を挟み込むことができるものとなっており、ベース盤２は、厚み寸法を３０ｍｍ程度、横幅寸法を３００ｍｍ程度、奥行寸法を約３７０ｍｍ程度として、載置するエンクロージャー４より、ある程度大きな平面形状となるよう寸法設定された長方形の平板状に形成されている。また、ベース盤２上に夫々独立して一体化された各響板部３，３，３は、板厚寸法を約３５ｍｍ程度とし、巾寸法を約１２０ｍｍ、高さ寸法を約５００ｍｍに設定され、三個の響板部３，３，３の各上端面の高さを同一高さに設定して、エンクロージャー４の底面を水平状に支持するエンクロージャー載置面３１，３１，３１を形成するものとなっている。
【００２０】
各響板部３，３，３の中、ベース盤２の中央よりもエンクロージャーの音声発生方向Ｓの前方に位置する二個の響板部３，３は、ベース盤２の中央を境として左右側に所定距離離間、独立して配置され、巾広面の一方同士を対峙した状態に垂設し、エンクロージャーの音声発生方向Ｓの前方に向けて互いの開き角度を拡開する平面配置とする一方、ベース盤２の中央よりも後方に位置する一個の響板部３は、ベース盤２の左右巾略中央に位置して、エンクロージャーの音声発生方向Ｓに平行状の平面配置となるよう垂設されている。
なお、このスピーカースタンド１は、図３のスピーカースタンドの平面図に示されているるように、エンクロージャーの音声発生方向Ｓを逆向きとなるよう配置し、三個の響板部３，３，３の平面配置具合を変更したものとすることも可能である。
【００２１】
【実施例２】
図４の三個の響板部を他の配置としたスピーカースタンドの平面図に示す事例は、この発明のスピーカー音の音響効果改善方法に使用するスピーカースタンドに包含される他の実施例を示すものであり、ベース盤２の中央よりもエンクロージャーの音声発生方向Ｓ側に位置する左右の響板部３，３は、前記実施例に示したものと同様、エンクロージャーの音声発生方向Ｓに向けて拡開状となる平面配置構造に形成されており、ベース盤２の中央よりもエンクロージャーの音声発生方向Ｓの後方に位置する一個の響板部３を、エンクロージャーの音声発生方向Ｓに対して略垂直の平面配置したものとなっている。
【００２２】
【実施例３】
図５の夫々が上端のエンクロージャー載置面を独立する四個の響板部を有するスピーカースタンドの平面図に示される事例は、前後左右に位置する響板部３，３，……の中、ベース盤２の中央よりもエンクロージャーの音声発生方向Ｓ側に位置する左右の響板部３，３は、互いに対峙する面を、エンクロージャーの音声発生方向Ｓに向けて拡開するように平面配置されたものとなっており、更に、ベース盤２の中央よりもエンクロージャーの音声発生方向Ｓの後方に位置する左右の響板部３，３は、互いに対峙する面を、エンクロージャーの音声発生方向Ｓの後方に向けて拡開する平面配置構造に形成されたものとしている。
【００２３】
【実施例４】
図６の各エンクロージャー載置面が夫々独立する四個の響板部を外の平面配置とした他のスピーカースタンドの平面図に示される事例は、前後左右に位置する合計四個の響板部３，３，……を有し、エンクロージャーの音声発生方向Ｓ側に位置する左右の響板部３，３は、互いに対峙する壁面を、エンクロージャーの音声発生方向Ｓに向けて拡開する平面配置とされ、更にまた、エンクロージャーの音声発生方向Ｓの後方に位置する響板部３，３も、互いの対峙壁面が、エンクロージャーの音声発生方向Ｓに向けて拡開する平面配置とされている。
【００２４】
【実施例５】
図７の前後二個の響板部を有するスピーカースタンドの平面図に示した事例は、ベース盤２のエンクロージャーの音声発生方向Ｓの前後に設けられた二個の響板部３，３の中、前方に位置する響板部３が、エンクロージャーの音声発生方向Ｓに平行状となるよう平面配置され、後方の響板部３を、エンクロージャーの音声発生方向Ｓに対して垂直状の平面配置となるよう構成されたものである。
【００２５】
【実施例６】
図８の左右二個の響板部を有するスピーカースタンドの平面図に示される事例は、ベース盤２の中央を挟んで、エンクロージャーの音声発生方向Ｓの左右に垂設する二個の響板部３，３が、エンクロージャーの音声発生方向Ｓに向けて、互いの対峙壁面の開き角度を拡開状とする平面配置となっている。
【００２６】
【実施例７】
図９のベース盤の下部に制振構造を有するスピーカースタンドの正面図、図１０の図９に示すスピーカースタンドの平面図、および図１１の図９に示すスピーカースタンドの側面図に示される事例は、ベース盤２に制振構造を設けた、その他の実施例を示すものであって、松材や黒檀等の天然ムク材から形成したベース盤２の下部には、前後端縁部下端に沿って配置し、楽器の材料となる各種天然木材、または人工大理石あるいはセラミック等から形成された柱状であり、夫々鉛直下方に向けて垂設された複数のスペーサー２１，２１，……を挟んで、当該ベース盤２と略同等の寸法に形成され、人工大理石またはセラミック等の硬質且つ高比重の素材からなり、上面にはエンクロージャー音声発生方向Ｓの後方に向かうほどに上昇するよう傾斜された反射面を形成した下部台座部２２が、接着剤、釘、ボルト・ナットまたは木ねじ等によって強固に結合、一体化されたものとなっている。この下部台座部２２上面の反射面は、エンクロージャー４底部から発せられる音を、エンクロージャー音声発生方向Ｓに向けて反射するよう傾斜しているが、エンクロージャー音声発生方向Ｓの左右側または後方、あるいは錐状として全周囲方向に向けて反射するような傾斜面構造とすることも可能である。
【００２７】
【作用】
以上のとおりの構成からなるこの発明のスピーカースタンドは、ベース盤２を床面上に直接、もしくはインシュレーターやブチルゴムシート等の防振材部または吸振材部等の制振材部を介して設置し、一台のエンクロージャー４を、各響板部３，３，……のエンクロージャー載置面３１，３１，……上に、安定した状態で跨るよう載置し、エンクロージャー４のスピーカー部分を聴者の耳の高さに略一致するようセッティングを行った上、エンクロージャー４をオーディオ機器に接続して音声を再生させると、エンクロージャー４から発生する音が聴者の耳に直接的に到達すると共に、同エンクロージャー４から発生した振動が、夫々自由端構造をなすエンクロージャー載置面３１，３１，……を通じて各響板部３，３，……に伝播され、響鳴を励起されることとなり、同響板部３，３，……の予め設定された夫々の平面配置具合に応じた方向に良質の音声を放射し、また周辺に反響した音声が、平板状に形成された各響板部３，３，……に反射され、エンクロージャー４から出力された振動および音声が、響板部３，３，……を介して間接的に聴者の耳に到達することとなり、スピーカースタンドから方向性をもって発せられる響鳴音および反射音が、エンクロージャーの音声に合成され、全体として統一された音響を発生することとなる。
【００２８】
図１および図２に示したスピーカースタンド１によれば、前側左右のエンクロージャーの音声発生方向Ｓに向けて拡開する平面配置とされた響板部３，３が、エンクロージャー４底面からの振動を受けて、前方に向けて響鳴するとともに、周辺からの音声を前方に向けて反射するので、狭い空間での演奏のような音場感が得られるものとなり、また、後側中央に位置してエンクロージャー音声発生方向Ｓに平行状に配置された響板部３は、エンクロージャー４底面からの振動を左右側に伝播、放出し、周囲に反響して回り込み、間接的に聴者に到達するので奥行感のある音響が得られるものとなる。
【００２９】
図３のスピーカースタンド１によれば、後側左右にあってエンクロージャー音声発生方向Ｓの後方に向けて拡開する平面配置とされた響板部３，３が、エンクロージャー４底面から伝わる振動に響鳴し、エンクロージャー音声発生方向Ｓの後方に向けて音声を発するものとなり、また前方中央に配置した響板部３は、エンクロージャー４底面から伝わる振動を受けて、エンクロージャー音声発生方向Ｓの左右側に向けて響鳴し、各響板部３，３，３から発せられる音が、主にエンクロージャー音声発生方向Ｓの後方および左右に向けて放出および反射されることになる。
【００３０】
図４のスピーカースタンド１は、前方左右に位置する響板部３，３が、エンクロージャー音声発生方向Ｓに向けて拡開状の平面配置であり、エンクロージャー４底面からの振動や周辺空間からの音声を、エンクロージャー音声発生方向Ｓに向けて響鳴および反射して誘導し、後方中央に位置してエンクロージャー音声発生方向Ｓに略垂直状の平面配置となる響板部３が、エンクロージャー音声発生方向Ｓの前後方向に向けて反響する音量を高めるものとなり、また、後方に位置する響板部３が、エンクロージャー４底面を広い面積で受止め、安定に支持する。
【００３１】
図５に示すスピーカースタンド１は、四個の響板部３，３，……が、エンクロージャー４底面の四箇所を、より高い安定をもって支持するので、転倒に対する安全性が高く、大型のエンクロージャーの載置に適するものであり、四個の響板部３，３，……の中、エンクロージャー音声発生方向Ｓの前方に位置して、同方向に拡開状の平面配置となる二個が、エンクロージャー音声発生方向Ｓに向けて音声を発生すると共に、周辺の音を反射し、また、後方に位置して同方向に拡開状に平面配置された二個の響板部３，３が、エンクロージャー音声発生方向Ｓの後方に向けて音声の発生および反射を行うものとなる。
【００３２】
図６のスピーカースタンド１は、前側および後側の左右に合計４個配置された響板部３，３，……の左右同士が、互いにエンクロージャー音声発生方向Ｓに向けて拡開する平面配置となっており、エンクロージャー４底面から伝播する振動に響鳴し、周辺の音声を反射して、エンクロージャー４の音声発生方向Ｓと同方向に向けて放射し、立体的に重なり合う独得の響きを発生することになる。
【００３３】
図７に示したスピーカースタンドは、小型のエンクロージャー４を載置するのに好適な二個の響板部３，３を有しており、同響板部３，３の中、前方中央に位置するものをエンクロージャー音声発生方向Ｓに平行な平面配置とし、エンクロージャー４底面からの振動を左右に振り分けた音声とするように響鳴し、残響成分を発生させると共に、後方中央に位置する響板部３が、エンクロージャー音声発生方向Ｓに直交する方向に向けて平面配置され、エンクロージャー４底面からの振動を前後方向に向けて発せられる音声とするよう響鳴し、聴者に到達する音量および音圧を高めるものとなり、また、図８のスピーカースタンド１は、ベース盤２の中央左右にあってエンクロージャー音声発生方向Ｓに向けて拡開状の平面配置とされた二個の響板部３，３が、エンクロージャー４底面から伝播される振動に響鳴し、エンクロージャー音声発生方向Ｓに音声を放射すると共に、周辺の音声を、同方向に向けて反射するものとなる。
【００３４】
図９ないし図１１に取り上げたスピーカースタンド１は、三個の響板部３，３，３と共に、ベース盤２もまた楽器に使用される天然ムク材から形成されており、響板部３，３，３と同様にエンクロージャー４からの振動を受けて響鳴し、前後縁側の下部に設けられた複数のスペーサー２１，２１，……が、同ベース盤２の振動の高い自由度を確保し、上下方向への音響を発生させるものとなり、スペーサー２１，２１，……を介して連結された人工大理石やセラミックなどから形成された下部台座部２２が、ベース盤２の振動が床面に伝わらないよう制振することとなる上、同下部台座部２２上面に形成された反射面が、ベース盤２下面から発生される音声を図１１中の二点鎖線で示される矢印方向（エンクロージャー音声発生方向Ｓ）に向けて反射することとなる。
【００３５】
【効果】
以上のとおり、この発明のスピーカー音の音響効果改善方法よれば、従前までのものであれば、エンクロージャーの載置台を有するスピーカースタンドが、エンクロージャーの発する振動を制振しきれず、僅かではあっても不要な振動やノイズを発生してしまうことを避けられず、また、載置台に反射された音は、不自然な残響音となって、載置台に近いウーファーやトゥイーター等による一部の周波数帯域のみを強調して音のバランスを崩してしまうといった不都合を有するものであったのに対し、載置台を持たないスピーカースタンドを使用することにより、このような振動の発生による音質の悪化を解消することができると共に、エンクロージャーからの音を直接響板部で区画された空間方向に放出、伝播し、その振動を、響板部の配置具合によって方向性を持つ音として再生する上、周辺空間からの音を所望する方向に反射して、秀れた音響効果を得ることができるという大きな特徴を有している。
【００３６】
更に、この発明のスピーカースタンドによれば、複数の独立する響板部が、それらのエンクロージャー載置面上に跨るように載置されたエンクロージャーからの振動を受けて、所望する方向に音声を発生および反射すると共に、これまで不可能とされてきた振動やノイズの発生を略皆無に近い状態とすることが可能となり、響板部の形状、寸法ならびにそれらの平面配置を工夫することにより、設置する部屋の形状や構造、および載置するエンクロージャーの性質等に応じて、好適な音響効果を発揮することができるようになる上、その材質に楽器の製作に使用する天然木材を採用することによって伸びやかな響きと、良好な音質とを達成することができるものであり、本来エンクロージャーが発生し得る音に加えて、音の響き、伸び、深み等の味わいを新たに与えることができ、また、ベース盤と響板部との接続部分に分解組み立て構造を組み込むと共に、響板部の平面配置角度を変更可能とする角度調節機構を併設することにより、輸送や販売の際のコンパクト化を実現して、輸送コストを引き下げることができる上、設置場所やオーディオシステムの条件に応じて、各響板部の取付け角度を適宜調節することができるようになるという秀れた特徴を得ることができるものとなる。
【００３７】
特に、図１および図２の実施例に示したスピーカースタンド１は、前側左右の響板部３，３が、前方に向けて響鳴する構造の故に、ジャズ喫茶のような狭い空間での演奏のような奥行のある音場感が得られるものとなり、図３のスピーカースタンド１は、各響板部３，３，３から発せられる音が、主としてエンクロージャー音声発生方向Ｓの後方および左右に向けて放出および反射されるため、すっきりとしたエンクロージャー４からの音声に、雄大な残響成分が乗り、立体的なバランスの良い音を発生することができるものとなる。
【００３８】
また、図４のスピーカースタンドは、後方に位置する響板部３が、スピーカー音声発生方向Ｓに直交状に配置されることにより、前後方向への反響音量を高めるものとなり、聴者に達する音圧を高めることができる上、エンクロージャー４底面を、より確実に安定して支持するので大型のエンクロージャー４であっても確りと支持することができる。更にまた、図５および図６に示すスピーカースタンド１，１は、四個の響板部３，３，……を有するので、複数の残響音がエンクロージャー４の音に重なり合い、深みのある響きが得られると共に、大型のエンクロージャー４を載置することができるものとなり、図７および図８のスピーカースタンド１，１は、二個の響板部３，３を有し、小型のエンクロージャー４の設置に好適であり、響きの少ない、いわゆる鳴りの悪いエンクロージャーであっても響きの良い音声を発生するものとすることが可能である上、部品点数を低減して廉価にて提供することが可能となるという利点がある。
【００３９】
また、図９ないし図１１のスピーカースタンド１では、ベース盤２の下部にスペーサー２１，２１，……を介して下部台座部２２を設けたことにより、響板部３，３，３およびベース盤２がエンクロージャー４と一体となって響鳴し、より大きな音響を発生可能であると共に、制振構造を有する下部台座部２２の上面に形成された反射面が音声を所望する方向に反射し、奥行と迫力のある音響効果を得ることができるという効果を奏することになる。
【００４０】
叙述の如く、この発明のスピーカー音の音響効果改善方法、およびそれに使用するスピーカースタンドは、その新規な構成によって所期の目的を遍く達成可能とするものであり、しかも、そのスピーカースタンドは、エンクロージャーを載置する載置台のない構造であって、良好な音のバランスを確保できると共に、部品構成を簡素化して製造も容易となる上、洗練されたデザインを実現可能とし、従前までのスピーカースタンドに比較し、経済性にも秀れたものとして提供することができ、商品の音質と美観とに高い趣向性が求められるオーディオ業界において高く評価され、広範に渡って利用、普及していくものと予想される。
【図面の簡単な説明】
図面は、この発明のスピーカー音の音響効果改善方法、およびそれに使用するスピーカースタンドの技術的思想を具現化した代表的な幾つかの実施例を示すものである。
【図１】三個の響板部を有するスピーカースタンドを示す斜視図である。
【図２】図１のスピーカースタンドを示す平面図である。
【図３】図１のスピーカースタンド前後逆転した使用状態を示す平面図である。
【図４】三個の響板部を有する他のスピーカースタンドを示す平面図である。
【図５】四個の響板部を有するスピーカースタンドを示す平面図である。
【図６】四個の響板部を有する他のスピーカースタンドを示す平面図である。
【図７】二個の響板部を有するスピーカースタンドを示す平面図である。
【図８】二個の響板部を有する他のスピーカースタンドを示す平面図である。
【図９】下部に制振構造を有するスピーカースタンドを示す正面図である。
【図１０】同スピーカースタンドの構造を示す平面図である。
【図１１】同スピーカースタンドの構造を示す側面図である。
【符号の説明】
１      スピーカースタンド
２      ベース盤
２１    同  スペーサー
２２    同  下部台座部
３      響板部
３１    同  エンクロージャー載置面
４      エンクロージャー
Ｓ      エンクロージャーの音声発生方向
【図１】
0004215342.tif 000002
【図２】
0004215342.tif 000003
【図３】
0004215342.tif 000004
【図４】
0004215342.tif 000005
【図５】
0004215342.tif 000006
【図６】
0004215342.tif 000007
【図７】
0004215342.tif 000008
【図８】
0004215342.tif 000009
【図９】
0004215342.tif 000010
【図１０】
0004215342.tif 000011
【図１１】
0004215342.tif 000012